(57)【要約】  機器状態通知制御装置（１００）は、機器状態取得部（１１１）、通知条件設定部（１１３）、通知情報生成部（１１４）、通信部（１５０）を備える。機器状態取得部（１１１）は、住宅に設置された電気機器の状態を示す機器状態情報を取得する。通知条件設定部（１１３）は、機器状態取得部（１１１）が取得した機器状態情報が示す電気機器の状態を端末装置に通知するか否かを判定するための通知条件を設定する。通知情報生成部（１１４）は、電気機器の状態が通知条件を満たすか否かを判定し、通知条件を満たすと判定した場合に、電気機器の状態を通知するための通知情報を生成する。通信部（１５０）は、通知情報生成部（１１４）が生成した通知情報を端末装置に送信する。
2020017051.tif 000002
【特許請求の範囲】
【請求項１】
住宅に設置された電気機器の状態を示す機器状態情報を取得する機器状態取得部と、
前記機器状態取得部が取得した前記機器状態情報が示す前記電気機器の状態を端末装置に通知するか否かを判定するための通知条件を設定する通知条件設定部と、
前記電気機器の状態が前記通知条件を満たすか否かを判定し、前記通知条件を満たすと判定した場合に、前記電気機器の状態を通知するための通知情報を生成する通知情報生成部と、
前記通知情報生成部が生成した前記通知情報を前記端末装置に送信する通信部と、
を備える機器状態通知制御装置。
【請求項２】
前記機器状態情報は、前記電気機器の動作状態と、前記電気機器の消費電力とを含む情報である、
請求項１に記載の機器状態通知制御装置。
【請求項３】
現在の日時を取得する日時取得部、を更に備え、
前記通知条件設定部は、前記電気機器の状態を前記端末装置に通知する時間を規制する通知時間条件を前記通知条件に含めて設定し、
前記通知情報生成部は、前記電気機器の状態および前記日時取得部が取得した現在の時刻が前記通知条件を満たすか否かを判定し、前記通知条件を満たすと判定した場合に、前記電気機器の状態を通知するための通知情報を生成する、
請求項１又は２に記載の機器状態通知制御装置。
【請求項４】
前記日時取得部は、現在の曜日を更に取得し、
前記通知条件設定部は、前記電気機器の状態を前記端末装置に通知する曜日を規制する通知曜日条件を前記通知条件に含めて設定し、
前記通知情報生成部は、前記電気機器の状態および前記日時取得部が取得した現在の時刻および曜日が前記通知条件を満たすか否かを判定し、前記通知条件を満たすと判定した場合に、前記電気機器の状態を通知するための通知情報を生成する、
請求項３に記載の機器状態通知制御装置。
【請求項５】
通知対象の電気機器の指定を示す通知指定情報を取得する通知指定取得部を、更に備え、
前記通知条件設定部は、前記通知指定取得部が取得した通知指定情報に基づいて前記通知条件を設定する、
請求項１から４のいずれか１項に記載の機器状態通知制御装置。
【請求項６】
前記通知条件設定部は、前記端末装置に表示される前記住宅の間取り図に配置された前記電気機器を示すアイコンの選択に基づいて前記通知条件を設定する、
請求項１から５のいずれか１項に記載の機器状態通知制御装置。
【請求項７】
機器状態通知制御装置、電気機器および端末装置を含む機器状態通知システムであって、
前記機器状態通知制御装置は、
住宅に設置された前記電気機器の状態を示す機器状態情報を取得する機器状態取得部と、
前記機器状態取得部が取得した前記機器状態情報が示す前記電気機器の状態を前記端末装置に通知するか否かを判定するための通知条件を設定する通知条件設定部と、
前記電気機器の状態が前記通知条件を満たすか否かを判定し、前記通知条件を満たすと判定した場合に、前記電気機器の状態を通知するための通知情報を生成する通知情報生成部と、
前記通知情報生成部が生成した前記通知情報を前記端末装置に送信する通信部と、
を備える機器状態通知システム。
【請求項８】
住宅に設置された電気機器の状態を示す機器状態情報を取得し、
前記電気機器の状態が通知条件を満たすか否かを判定し、前記通知条件を満たすと判定した場合に、通知情報を生成し、
生成した前記通知情報を送信する、
機器状態通知方法。
【請求項９】
コンピュータを、
住宅に設置された電気機器の状態を示す機器状態情報を取得する機器状態取得部、
前記電気機器の状態が通知条件を満たすか否かを判定し、前記通知条件を満たすと判定した場合に、通知情報を生成する通知情報生成部、
として機能させるプログラム。
【発明の詳細な説明】
【技術分野】
【０００１】
本発明は、機器状態通知制御装置、機器状態通知システム、機器状態通知方法およびプログラムに関する。
【背景技術】
【０００２】
エネルギーの節約に対する関心の高まりに伴い、一般家庭の省エネを目的としたＨＥＭＳ（Home Energy Management System）、マンションの共用設備の省エネを目的としたＭＥＭＳ（Mansion Energy Management System）等のＥＭＳ（Energy Management System）が普及している。【０００３】
例えば、特許文献１は、住宅に設置された空調調和装置の異常を示す情報を端末装置に報知する監視システムを開示している。
【先行技術文献】
【特許文献】
【０００４】
【特許文献１】特開２００１−２０８４０３号公報
【発明の概要】
【発明が解決しようとする課題】
【０００５】
住宅に設置された電気機器の異常以外にも住宅の状況を知りたいという要望が高まっている。しかしながら、特許文献１が開示する監視システムでは、このような要望を満たすことは困難である。【０００６】
本発明は、上述のような事情に鑑みてなされたものであり、住宅内の状況を遠隔で把握可能とすることを目的とする。
【課題を解決するための手段】
【０００７】
上記の目的を達成するため、本発明に係る機器状態通知制御装置は、機器状態取得部、通知条件設定部、通知情報生成部、通信部を備える。機器状態取得部は、住宅に設置された電気機器の状態を示す機器状態情報を取得する。通知条件設定部は、機器状態取得部が取得した機器状態情報が示す電気機器の状態を端末装置に通知するか否かを判定するための通知条件を設定する。通知情報生成部は、電気機器の状態が通知条件を満たすか否かを判定し、通知条件を満たすと判定した場合に、電気機器の状態を通知するための通知情報を生成する。通信部は、通知情報生成部が生成した通知情報を端末装置に送信する。
【発明の効果】
【０００８】
本発明に係る機器状態通知制御装置によれば、住宅に設置された電気機器の状態を示す機器状態情報を取得し、電気機器の状態が通知条件を満たす場合には、通知情報を生成して端末装置に送信することができるため、電気機器の状態から住宅内の状況を把握することができる。
【図面の簡単な説明】
【０００９】
【図１】本発明の実施の形態１に係る機器状態通知システムの構成を示すブロック図
【図２】機器状態通知制御装置の機能構成を示すブロック図
【図３Ａ】エアコンの動作状態情報の一例を示す図
【図３Ｂ】照明装置の動作状態情報の一例を示す図
【図３Ｃ】冷蔵庫の動作状態情報の一例を示す図
【図４】通知機器指定画面の一例を示す図
【図５】機器状態通知システムの動作の一例を示すシーケンス図
【図６】通知情報供給処理の流れを示すフローチャート
【図７】通知項目指定画面の一例を示す図
【図８】通知時間帯指定画面の一例を示す図
【図９】実施の形態２に係る機器状態通知制御装置の機能構成を示すブロック図
【図１０】通知時間帯指定画面の一例を示す図
【図１１】通知時間帯指定画面の他の一例を示す図
【図１２】通知日付指定画面の一例を示す図
【図１３】通知曜日指定画面の一例を示す図
【図１４】通知季節指定画面の一例を示す図
【図１５】実施の形態３に係る通知機器指定画面の一例を示す図
【図１６】機器状態通知制御装置のハードウェア構成例を示すブロック図
【発明を実施するための形態】
【００１０】
以下、本発明の実施の形態に係る機器状態通知制御装置、機器状態通知システム、機器状態通知方法及びプログラムについて、図面を参照して詳細に説明する。
【００１１】
（実施の形態１）
実施の形態１に係る機器状態通知システム１は、住宅の環境状態を管理し、居住者であるユーザに住宅の環境状態を提示するためのシステムである。機器状態通知システム１は、図１に示すように、住宅の環境状態を管理する機器状態通知制御装置１００と、住宅に設置された電気機器２００と、住宅で消費される電力量を計測する電力計測装置３００と、電気機器２００の動作状態をユーザに提示する端末装置４００とを含む。なお、電気機器２００の台数は１台以上であれば任意である。
【００１２】
機器状態通知制御装置１００は、住宅内に構築されたネットワークＮＷを介して、電気機器２００および電力計測装置３００と通信可能に接続されている。ネットワークＮＷは、例えば、エコーネットライト（ECHONET Lite）に準じた無線ＬＡＮ（Local Area Network）である。また、機器状態通知制御装置１００と端末装置４００とは、Ｗｉ−Ｆｉ（登録商標）をはじめとする周知の無線ＬＡＮを介して、通信可能に接続されている。
【００１３】
以下、図２に示す各部の構成について順に説明する。
（機器状態通知制御装置１００）
機器状態通知制御装置１００は、例えば、ＨＥＭＳ（Home Energy Management System）、ＭＥＭＳ（Mansion Energy Management System）等に用いられるコントローラであり、住宅に設置された電気機器２００の各々の動作の監視および制御を行う。機器状態通知制御装置１００は、各電気機器２００の状態を示す情報を取得し、取得した情報が予め設定された通知条件を満たすか否かを判定する。そして、機器状態通知制御装置１００は、通知条件を満たす場合には、通知情報を生成して端末装置４００に供給する。
【００１４】
機器状態通知制御装置１００は、図２に示すように、機能的には、全体を制御する制御部１１０と、データを記憶する記憶部１２０と、画像を表示する表示部１３０と、操作入力を受け付ける操作入力部１４０と、外部装置と通信する通信部１５０と、を備える。
【００１５】
制御部１１０は、機器状態通知制御装置１００の各部の動作を統括して制御する。制御部１１０は、制御プログラムを実行することによって、機器状態情報を取得する機器状態取得部１１１、通知指定情報を取得する通知指定取得部１１２、ユーザに通知する条件を設定する通知条件設定部１１３、ユーザに通知する通知情報を生成する通知情報生成部１１４、として機能する。
【００１６】
機器状態取得部１１１は、電気機器２００の状態を示す機器状態情報を取得する。具体的には、機器状態取得部１１１は、機器状態情報として、電気機器２００の各々から自己の動作状態を示す動作状態情報を取得し、また、電力計測装置３００から電気機器２００の各々の消費電力を示す消費電力情報を取得する。なお、動作状態情報は、電気機器２００自身の動作状態を示す情報、例えば、オン・オフ、動作モード、設定値を示す情報情報等と、電気機器２００が動作する環境の状態、例えば、雰囲気温度、雰囲気湿度、雰囲気の明るさ、気圧、電気等を示す情報を含む。これらは、センサで取得されるもの、機器自身が生成するもののいずれでもよい。機器状態取得部１１１は、各電気機器２００から取得した動作状態情報と、電力計測装置３００から取得した消費電力情報とを記憶部１２０に記憶する。
【００１７】
通知指定取得部１１２は、端末装置４００から通知指定情報を取得する。通知指定情報は、ユーザによる通知情報の指定内容を示す情報である。指定内容、例えば、ある電気機器２００の動作状況が変化したことのように、その条件が成立したときに通知すべきことを示す通知条件を指示するものである。
【００１８】
通知条件設定部１１３は、機器状態取得部１１１が取得した機器状態情報を端末装置４００に通知するか否かを判定するための通知条件を設定する。通知条件設定部１１３は、端末装置４００から取得した通知指定情報に基づいて通知条件を設定する。
【００１９】
なお、以下の説明においては、通知条件設定部１１３は、通知指定情報において通知対象に指定された電気機器２００の稼働状態が変化したことを通知条件として設定した場合を想定する。通知条件設定部１１３は、設定した通知条件を通知条件情報として記憶部１２０に記憶する。
【００２０】
ユーザは後述する端末装置４００の通知機器指定画面を用いて通知指定内容を適宜変更して、通知指定情報を送信することが可能である。通知条件設定部１１３は、端末装置４００から通知指定情報を取得する毎にその通知指定情報に基づいて通知条件を新たに設定し、記憶部１２０に記憶された通知条件情報を更新する。
【００２１】
通知情報生成部１１４は、記憶部１２０に記憶された通知条件情報を参照し、機器状態取得部１１１が取得した機器状態情報が通知条件を満たすか否かを判定する。この例では、通知情報生成部１１４は、機器状態情報をユーザに通知する対象の電気機器２００（以下、単に、通知対象の電気機器２００）から今回取得した機器状態情報と前回取得した機器状態情報とを比較し、その電気機器２００の状態が変化している場合、例えば、通知対象の電気機器２００の運転状況がオンからオフにまたはオフからオンに切り替わった場合、運転モードが切り替わった場合等に、通知条件を満たすと判定する。
【００２２】
なお、通知情報生成部１１４は、機器状態情報に含まれる設定温度、設定湿度等のように数値で表される項目については、予め設定された一定値以上の変化があったことを、電気機器２００の状態が変化したとみなす条件としてもよい。通知情報生成部１１４は、通知条件を満たす通知対象の電気機器２００について端末装置４００が通知画面を表示するために必要な通知情報を生成し、通信部１５０を制御して端末装置４００に生成した通知情報を送信する。
【００２３】
記憶部１２０は、機器状態通知制御装置１００を制御するための各種プログラム及び各種データを記憶する。記憶部１２０は、例えば、通知条件情報、電気機器２００の各々から取得した動作状態情報、電力計測装置３００から取得した消費電力情報等を記憶する。
【００２４】
表示部１３０は、制御部１１０による制御に従って、各種画像を表示画面に表示する。表示部１３０は、例えば、電気機器２００の各々から取得した動作状態情報、電力計測装置３００から取得した消費電力情報に基づく画像を表示する。
【００２５】
操作入力部１４０は、ユーザの操作を受け付け、受け付けた操作に応じた操作信号を生成して制御部１１０に出力する。制御部１１０は、操作入力部１４０から入力した操作信号に基づいてユーザの操作に対応する処理を実行する。
【００２６】
通信部１５０は、制御部１１０による制御に従って、電気機器２００、電力計測装置３００、端末装置４００の各々とデータ通信を行う。通信部１５０は、例えば、各電気機器２００から動作状態情報を、電力計測装置３００から消費電力情報をそれぞれ受信する。また、通信部１５０は、通知情報を端末装置４００に送信する。
【００２７】
（電気機器２００）
電気機器２００は、例えば、エアコン、空気清浄機、床冷暖房システム、浴室暖房乾燥機、冷蔵庫、電子レンジ、ＩＨ（Induction Heating）調理器、テレビ、照明装置等の住宅に設置された種々の家電製品である。電気機器２００は、住宅の屋外に設置された給湯機、電気自動車用のパワーコンディショナ等であってもよい。電気機器２００は、商用電源、バッテリ等からの電力を供給する電力線に接続されるとともに、ネットワークＮＷを介して機器状態通知制御装置１００と通信可能に接続される。電気機器２００は、機器状態通知制御装置１００から送信要求信号を受信したことに応答して、自己の現在の動作状態を示す動作状態情報を機器状態通知制御装置１００に送信する。
【００２８】
動作状態情報は、電気機器２００がどのような家電製品であるかによって異なり、電気機器２００の主機能に応じて予め定められた動作状態項目に対応するデータを含む。
【００２９】
電気機器２００がエアコンである場合、例えば、図３Ａに示すように、電気機器２００の動作状態情報は、エアコンの動作状態項目として予め定められた「運転状況」、「運転モード」、「設定温度」、「設定湿度」、「室内温度」、「室内湿度」の各々に対応する「動作状態データ」を含む。「運転状況」は、例えば、エアコンが運転中であることを示す「オン」、エアコンが運転停止中であることを示す「オフ」のいずれかによって表される。「運転モード」は、例えば、暖房運転であることを示す「暖房」、冷房運転であることを示す「冷房」、除湿運転であることを示す「除湿」のいずれかによって表される。「設定温度」は、目標温度としてエアコンに設定された温度である。「設定湿度」は、目標湿度としてエアコンに設定された湿度である。「室内温度」は、エアコンが備える温度センサによって検知された室内の実際の温度である。「室内湿度」は、エアコンが備える湿度センサによって検知された室内の実際の湿度である。「設定温度」および「室内温度」は、例えば、セルシウス度（単位：℃）で表され、「設定湿度」および「室内湿度」は、例えば、相対湿度（単位：％）で表される。図３Ａに示す動作状態情報は、エアコンの現在の動作状態が、運転状況「オン」、運転モード「冷房」、設定温度「２４℃」、設定湿度「５０％」であり、室内温度「２７℃」、室内湿度「６２％」であることを示している。
【００３０】
また、電気機器２００が照明装置である場合、例えば、図３Ｂに示すように、電気機器２００の動作状態情報は、照明装置の動作状態項目として予め定められた「運転状況」、「明るさ」、「色合い」、「周囲の明るさ」の各々に対応する「動作状態データ」を含む。「運転状況」は、例えば、照明装置が運転中であることを示す「オン」、照明装置が運転停止中であることを示す「オフ」のいずれかによって示される。「明るさ」は、例えば、照明光の明るさに応じて「明」、「中」、「暗」の３段階で示される。「色合い」は、例えば、照明光の色味に応じて「昼光色」、「昼白色」、「電球色」で示される。「周囲の明るさ」は、照明装置が備える照度センサが検知した室内の実際の明るさであり、ルクス（単位：ｌｘ）で表される。図３Ｂに示す動作状態情報は、照明装置の現在の動作状態が、運転状況「オン」、明るさ「中」、色合い「電球色」、周囲の明るさ「３００ｌｘ」であることを示している。なお、「明るさ」を光束（単位：ｌｍ（ルーメン））で、「色合い」を色温度（単位：Ｋ（ケルビン））で数値的に示してもよい。
【００３１】
また、電気機器２００が冷蔵庫である場合、例えば、図３Ｃに示すように、電気機器２００の動作状態情報は、冷蔵庫の動作状態項目として予め定められた「運転状況」、「冷却強度」、「扉開閉」、「冷蔵庫内温度」、「冷凍庫内温度」の各々に対応する「動作状態データ」を含む。「運転状況」は、例えば、冷蔵庫が運転中であることを示す「オン」、冷蔵庫が運転停止中であることを示す「オフ」のいずれかによって表される。「冷却強度」は、冷蔵庫の冷却レベルであり、例えば、「強」、「中」、「弱」の３段階で表される。「扉開閉」は、冷蔵庫の扉の開閉状態であり、扉が開放されていることを示す「開」、扉が閉鎖されていることを示す「閉」のいずれかによって表される。「冷蔵庫内温度」は、冷蔵庫が備える温度センサによって検知された冷蔵庫内の実際の温度である。「冷凍庫内温度」は、冷蔵庫が備える温度センサによって検知された冷凍庫内の実際の温度である。「冷蔵庫内温度」および「冷凍庫内温度」は、例えば、セルシウス度（単位：℃）で表される。図３Ｃに示す動作状態情報は、冷蔵庫の現在の動作状態が、運転状況「オン」、冷却強度「弱」、扉開閉「閉」、冷蔵庫内温度「４℃」、冷凍庫内温度「−１８℃」であることを示している。
【００３２】
（電力計測装置３００）
図１に示す電力計測装置３００は、スマートメータをはじめとする通信機能を有する電力計測器である。電力計測装置３００は、機器状態通知制御装置１００から送信要求信号を受信したことに応答して、住宅に設置された各電気機器２００の消費電力および住宅全体の消費電力を計測し、計測結果を示す消費電力情報を機器状態通知制御装置１００に送信する。各電気機器２００の消費電力および住宅全体の消費電力は、例えば、消費電力の瞬時値（単位：Ｗ）で表される。
【００３３】
（端末装置４００）
端末装置４００は、例えば、ユーザが所有するスマートフォン、タブレット端末、ノートパソコン等の汎用携帯機器である。端末装置４００は、機器状態通知制御装置１００から送信された通知情報を受信すると、受信した通知情報に基づいて、電気機器２００の各々の動作状態および消費電力を示す通知画面を自己の表示画面に表示することにより、住宅の状況をユーザに提示する。
【００３４】
また、端末装置４００は、ユーザの操作に応じて、例えば図４に示す各電気機器２００の通知情報の要否を指定するための通知機器指定画面４１０を表示画面に表示する。ユーザは、通知機器指定画面４１０を用いて、電気機器２００毎に通知情報の要否を指定することができる。通知機器指定画面４１０には、住宅の区画である部屋毎に、その部屋に設置されている電気機器２００の名称を示す機器識別枠４１１と、その電気機器２００の機器状態情報の通知の要否を指定するための通知指定ボタン４１２とが対応付けて表示される。ユーザは、通知指定ボタン４１２を押下して、機器状態情報の通知を指定する「通知ＯＮ」と機器状態情報の非通知を指定する「通知ＯＦＦ」とを切り替えることにより、通知対象の電気機器２００を指定することができる。端末装置４００は、通知機器指定画面４１０において機器状態情報の要否が指定されると、その指定内容を示す通知指定情報を機器状態通知制御装置１００に送信する。
【００３５】
次に、図５を参照して、機器状態通知システム１における各装置のデータ送受信の概要を説明する。
【００３６】
機器状態通知制御装置１００は、予め設定された一定時間間隔で、ネットワークＮＷを介して、電気機器２００の各々に動作状態情報の送信要求信号を送信する（ステップＳ１０１）。
【００３７】
また、機器状態通知制御装置１００は、予め設定された一定時間間隔で、ネットワークＮＷを介して、電力計測装置３００に消費電力情報の送信要求信号を送信する（ステップＳ１０２）。
【００３８】
機器状態通知制御装置１００から送信要求信号を受信した各電気機器２００は、動作状態情報を機器状態通知制御装置１００に送信する（ステップＳ１０３）。
【００３９】
また、機器状態通知制御装置１００から送信要求信号を受信した電力計測装置３００は、消費電力情報を機器状態通知制御装置１００に送信する（ステップＳ１０４）。
【００４０】
機器状態通知制御装置１００は、動作状態情報および消費電力情報を受信すると、通知条件を満たすか否かを判定し、その判定結果に応じて通知情報を生成する（ステップＳ１０５）。
【００４１】
そして、機器状態通知制御装置１００は、ステップＳ１０５において生成した通知情報を端末装置４００に送信する（ステップＳ１０６）。
【００４２】
端末装置４００は、機器状態通知制御装置１００から通知情報を受信すると、その通知情報に基づく通知画面を表示する（ステップＳ１０７）。
【００４３】
機器状態通知システム１は、上述した一連の処理を繰り返し実行することにより、ユーザに住宅の状況を提示する。
【００４４】
次に、図６に示すフローチャートを参照して、機器状態通知制御装置１００の制御部１１０が実行する通知情報供給処理について説明する。制御部１１０は、一定時間間隔で通知情報供給処理を繰り返し実行する。
【００４５】
制御部１１０は、通知情報供給処理を開始すると、まず、各電気機器２００から動作状態情報を取得する（ステップＳ２０１）。制御部１１０の機器状態取得部１１１は、通信部１５０を制御して、動作状態情報の送信を要求する送信要求信号を各電気機器２００に送信することにより、各電気機器２００から動作状態情報を取得する。
【００４６】
続いて、制御部１１０は、電力計測装置３００から消費電力情報を取得する（ステップＳ２０２）。制御部１１０の機器状態取得部１１１は、通信部１５０を制御して、消費電力情報の送信を要求する送信要求信号を電力計測装置３００に送信することにより、電力計測装置３００から消費電力情報を取得する。
【００４７】
次に、制御部１１０は、通知条件を満たしているか否かを判定する（ステップＳ２０３）。制御部１１０の通知情報生成部１１４は、記憶部１２０に記憶された通知条件情報を参照し、機器状態取得部１１１が取得した各電気機器２００の機器状態情報が通知条件を満たすか否かを判定する。
【００４８】
続いて、制御部１１０は、ステップＳ２０３における判定結果に応じて通知情報を生成する（ステップＳ２０４）。制御部１１０の通知情報生成部１１４は、通知情報生成部１１４は、通知対象の電気機器２００から今回取得した機器状態情報と前回取得した機器状態情報とを比較し、その電気機器２００の状態が変化している場合に通知条件を満たすと判定し、その旨をユーザに通知するための通知情報を生成する。
【００４９】
そして、制御部１１０は、通知情報を端末装置４００に送信する（ステップＳ２０５）。制御部１１０の通知情報生成部１１４は、通信部１５０を制御して、ステップＳ２０４において生成した通知情報を端末装置４００に送信する。機器状態通知制御装置１００から通知情報を受信した端末装置４００は、通知情報に基づく通知画像を表示画面に表示する。
【００５０】
制御部１１０は、ステップＳ１０５を実行した後、通知情報供給処理を終了する。
【００５１】
以上に説明したように、実施の形態１に係る機器状態通知システム１によれば、住宅に設置された電気機器の状態を示す機器状態情報を取得し、電気機器の状態が通知条件を満たす場合には、通知情報を生成して端末装置に送信することができるため、電気機器の状態から住宅内の状況を把握することができる。
【００５２】
（変形例１）
実施の形態１に係る機器状態通知システム１において、端末装置４００は、図４に示す通知機器指定画面４１０において通知対象の電気機器２００が指定されると、続いて、図７に示すように、通知対象の電気機器２００の機器状態項目を示す項目識別枠４２１と通知指定ボタン４２２が設けられた通知項目指定画面４２０を表示して、通知項目を指定できるようにしてもよい。ユーザは、通知指定ボタン４２２を押下して「チェックあり」と「チェックなし」とを切り替えることにより、変化した状態項目の通知または非通知を指定することができる。ユーザは通知項目の指定が終了した後、戻るボタン４２３を押下することにより、図４に示す通知機器指定画面４１０に戻ることができる。これにより、機器状態通知システム１は、ユーザが知りたい項目の変化のみ通知することができる。
【００５３】
（実施の形態２）
実施の形態１では、ユーザにより指定された通知対象の電気機器２００の状態が変化したときにその旨を端末装置４００に表示することにより、住宅内の状態の変化をユーザに通知した。実施の形態２では、通知する時間帯を規制する例について説明する。以下、実施の形態１との相違点のみを説明する。
【００５４】
実施の形態２に係る端末装置４００は、例えば、図４に示す通知機器指定画面４１０において通知対象の電気機器２００が指定されると、続いて、図８に示す通知時間帯指定画面４３０を表示画面に表示する。通知時間帯指定画面４３０には、予め設定された時間帯の区分を示す時間帯識別枠４３１と、通知の要否を指定するための通知指定ボタン４３２とが対応付けて表示される。ユーザは、通知指定ボタン４３２を押下して、機器状態情報の通知を指定する「チェックあり」と機器状態情報の非通知を指定する「チェックなし」とを切り替えることにより、通知時間帯を指定することができる。また、ユーザは、時間帯指定が終了した後、戻るボタン４３３を押下することにより、図４に示す通知機器指定画面４１０に戻ることができる。端末装置４００は、通知機器指定画面４１０および通知時間帯指定画面４３０において機器状態情報の通知態様が指定されると、その指定内容を示す通知指定情報を機器状態通知制御装置１００に送信する。
【００５５】
機器状態通知制御装置１００の制御部１１０は、図９に示すように、日時取得部１１５を更に備える。日時取得部１１５は、現在の日時を取得する。日時取得部１１５は、現在の日時を、ネットワークＮＷ経由で取得してもよいし、機器状態通知制御装置１００に内蔵されたリアルタイムクロック（Real Time Clock：RTC）から取得してもよい。
【００５６】
また、通知条件設定部１１３は、日時取得部１１５が取得した現在の時刻が通知指定情報において指定された時間帯に含まれることを条件とする通知時間条件を通知条件に含めて設定する。すなわち、本実施の形態において、通知対象の電気機器２００の状態が変化し、かつ、現在の時刻が特定の時間帯に属することが、通知条件として設定される。
【００５７】
通知情報生成部１１４は、通知対象の電気機器２００の状態が変化し、かつ、現在の時刻が指定された時間帯に含まれる場合に、通知条件を満たすと判定する。
【００５８】
以上に説明したように、実施の形態２に係る機器状態通知システム１によれば、ユーザは、通知時間帯を予め指定することにより、電気機器２００の状態の変化を知らせる通知が必要な時間帯、電気機器２００の状態の変化が予測される時間帯等に適切に通知を受けることができる。
【００５９】
（変形例２）
実施の形態２に係る機器状態通知システム１において、端末装置４００は、図１０に示すように、通知の開始時間を指定するための開始時間指定枠４４１と終了時間を指定するための終了時間指定枠４４２が設けられた通知時間帯指定画面４４０を表示して、通知時間帯を指定できるようにしてもよい。また、通知時間帯指定画面４４０に開始時間指定枠４４１および終了時間指定枠４４２を複数設けて、複数の時間帯を指定できるようにしてもよい。さらに、図１１に示す通知時間帯指定画面４５０のように、アナログ時計を模した時計画像４５１において、三角形のスライダ４５２を移動させることにより通知の開始時間および終了時間を指定できるようにしてもよい。また、同一時間帯の通知回数を指定できるようにしてもよい。これにより、ユーザは、通知時間帯をより適切に指定することができる。
【００６０】
（変形例３）
実施の形態２に係る機器状態通知システム１において、通知時間帯の指定に加えて、または、これに替えて、通知対象の電気機器２００の状態の変化を通知する日付、曜日、季節等を指定できるようにしてもよい。この場合、例えば、図１２に示す通知日付指定画面４６０のように、カレンダから通知日付を指定できるようにしたり、図１３に示す通知曜日指定画面４７０、図１４に示す通知季節指定画面４８０のように、通知する曜日または季節を指定できるようにすればよい。これにより、ユーザは、各電気機器２００の使用日、使用曜日、使用時期等に応じて通知を適切に受けることができる。この場合、通知条件設定部１１３は、日時取得部１１５が取得した現在の時刻が通知指定情報において指定された曜日及び／又は季節に含まれることを条件とする通知曜日条件及び／又は通知季節条件を通知条件に含めて設定する。すなわち、本実施の形態において、通知対象の電気機器２００の状態が変化し、かつ、現在の時刻が特定の時間帯に属することが、通知条件として設定される。さらに、通知対象の電気機器２００の状態の変化を通知する状態項目、時間帯、日付、曜日、季節を適宜組み合わせて順次指定できるようにしてもよい。
【００６１】
（実施の形態３）
実施の形態３では、住宅の間取り図に配置された電気機器２００を示すアイコンを用いて、通知対象の電気機器２００を指定する例について説明する。以下、実施の形態１および実施の形態３との相違点のみを説明する。
【００６２】
実施の形態３に係る端末装置４００は、例えば、図１５に示す通知機器指定画面４９０において、住宅の間取り図に電気機器２００を示すアイコンを表示し、ユーザによってアイコンが押下されたことに応じて、通知対象の電気機器２００の指定を受け付ける。
【００６３】
端末装置４００は、実施の形態１および実施の形態２で説明したように、通知機器指定画面４９０において、通知対象の電気機器２００が指定された後、通知対象の電気機器２００の状態の変化を通知する状態項目、時間帯、日付、曜日、季節を適宜組み合わせて順次指定できるようにしてもよい。
【００６４】
以上に説明したように、実施の形態３に係る機器状態通知システム１によれば、ユーザは、住宅の各部屋に設置されている電気機器２００を容易に把握することができ、通知対象の電気機器２００を直感的に指定することができる。
【００６５】
以上の説明においては、通知条件を「通知対象の電気機器２００の状態が変化したこと」としたが、通知条件自体は任意である。また、通知条件が成立したときに、通知する内容も任意である。例えば、「雰囲気温度が設定温度以上となったこと」を通知条件とし、通知内容を「雰囲気湿度と照度」したり、電気機器２００Ａの運転状況が変化したことを条件として、他の電気機器２００Ｂの「設定温度」と他の電気機器２００Ｃの「動作状態の全項目」とするなどとしてもよい。また、複数の条件が成立したときに、通知するようにしてもよい。例えば、「雰囲気温度が設定温度以上となり」、且つ、電気機器２００Ａの運転状況が「オン」で、電気機器２００Ｂの運転状況が「オフ」のときに、電気機器２００Ｃの運転状況を通知する等としてもよい。
その他、どのような通知条件を設定し、どのような内容を通知するかは任意である。また、どのような条件を通知内容とするかをユーザが自由に設定できるようにしてもよい。
【００６６】
最後に、図１６を参照して、実施の形態１〜３に係る機器状態通知制御装置１００のハードウェア構成例を説明する。機器状態通知制御装置１００は、装置内の各部を制御するプロセッサ５００、各種データを記憶するメモリ６００、他の装置と情報の入出力を行うインタフェース７００を備え、これらの構成要素は、バスラインＢＬを介して相互に電気的に接続されている。
【００６７】
機器状態通知制御装置１００の制御部１１０の各機能は、プロセッサ５００により実現される。プロセッサ５００は、例えば、メモリ６００に記憶されているプログラムを実行するＣＰＵ（Central Processing Unit）である。なお、プロセッサ５００は、ＣＰＵに加えて、または、ＣＰＵに替えて、ＤＳＰ（Digital Signal Processor）、ＧＰＵ（Graphics Processing Unit）等であってもよい。
【００６８】
機器状態通知制御装置１００の記憶部１２０は、メモリ６００により実現される。メモリ６００は、例えば、ＲＯＭ（Read Only Memory）、ＲＡＭ（Random Access Memory）、フラッシュメモリ、ＥＰＲＯＭ（Erasable Programmable Read Only Memory）、ＥＥＰＲＯＭ（Electrically Erasable Programmable Read Only Memory）等の不揮発性または揮発性の半導体メモリ、磁気ディスク、フレキシブルディスク、光ディスク、コンパクトディスク、ミニディスク、ＤＶＤ（Digital Versatile Disc）等である。
【００６９】
機器状態通知制御装置１００の表示部１３０、操作入力部１４０、通信部１５０は、インタフェース７００により実現される。
【００７０】
上記の実施の形態において、例えば機器状態通知制御装置１００の制御部１１０のＣＰＵが実行する制御プログラムは、あらかじめＲＯＭに記憶されていた。しかしながら、本発明は、これに限定されず、上記の各種処理を実行させるための動作プログラムを、既存の汎用コンピュータ、フレームワーク、ワークステーション等に実装することにより、上記の実施の形態に係る機器状態通知制御装置１００に相当する装置として機能させてもよい。
【００７１】
このようなプログラムの提供方法は任意であり、例えば、コンピュータが読取可能な記録媒体（フレキシブルディスク、ＣＤ（Compact Disc）−ＲＯＭ、ＤＶＤ−ＲＯＭ）等に格納して配布してもよいし、インターネットをはじめとするネットワーク上のストレージにプログラムを格納しておき、これをダウンロードさせることにより提供してもよい。
【００７２】
また、上記の処理をＯＳ（Operating System）とアプリケーションプログラムとの分担、または、ＯＳとアプリケーションプログラムとの協働によって実行する場合には、アプリケーションプログラムのみを記録媒体、ストレージ等に格納してもよい。また、搬送波にプログラムを重畳し、ネットワークを介して配信することも可能である。例えば、ネットワーク上の掲示板（Bulletin Board System：BBS）に上記プログラムを掲示し、ネットワークを介してプログラムを配信してもよい。そして、このプログラムを起動し、ＯＳの制御下で、他のアプリケーションプログラムと同様に実行することにより、上記の処理を実行するべく設計してもよい。
【００７３】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、請求の範囲によって示される。そして、請求の範囲内及びそれと同等の発明の意義の範囲内で施される様々な変形が、この発明の範囲内とみなされる。
【符号の説明】
【００７４】
１  機器状態通知システム、１００  機器状態通知制御装置、１１０  制御部、１１１  機器状態取得部、１１２  通知指定取得部、１１３  通知条件設定部、１１４  通知情報生成部、１１５  日時取得部、１２０  記憶部、１３０  表示部、１４０  操作入力部、１５０  通信部、２００  電気機器、３００  電力計測装置、４００  端末装置、４１０  通知機器指定画面、４１１  機器識別枠、４１２  通知指定ボタン、４２０  通知項目指定画面、４２１  項目識別枠、４２２  通知指定ボタン、４２３  戻るボタン、４３０  通知時間帯指定画面、４３１  時間帯識別枠、４３２  通知指定ボタン、４３３  戻るボタン、４４０  通知時間帯指定画面、４４１  開始時間指定枠、４４２  終了時間指定枠、４５０  通知時間帯指定画面、４５１  時計画像、４５２  スライダ、４６０  通知日付指定画面、４７０  通知曜日指定画面、４８０  通知季節指定画面、４９０  通知機器指定画面、５００  プロセッサ、６００  メモリ、７００  インタフェース、ＢＬ  バスライン、ＮＷ  ネットワーク
【図１】
2020017051.tif 000003
【図２】
2020017051.tif 000004
【図３Ａ】
2020017051.tif 000005
【図３Ｂ】
2020017051.tif 000006
【図３Ｃ】
2020017051.tif 000007
【図４】
2020017051.tif 000008
【図５】
2020017051.tif 000009
【図６】
2020017051.tif 000010
【図７】
2020017051.tif 000011
【図８】
2020017051.tif 000012
【図９】
2020017051.tif 000013
【図１０】
2020017051.tif 000014
【図１１】
2020017051.tif 000015
【図１２】
2020017051.tif 000016
【図１３】
2020017051.tif 000017
【図１４】
2020017051.tif 000018
【図１５】
2020017051.tif 000019
【図１６】
2020017051.tif 000020
【手続補正書】
【提出日】令和3年1月5日(2021.1.5)
【手続補正１】
【補正対象書類名】明細書
【補正対象項目名】０００７
【補正方法】変更
【補正の内容】
【０００７】
上記の目的を達成するため、本発明に係る機器状態通知制御装置は、機器状態取得部、日時取得部、通知指定取得部、通知条件設定部、通知情報生成部、通信部を備える。機器状態取得部は、住宅に設置された電気機器の状態を示す機器状態情報を取得する。日時取得部は、現在の日時を取得する。通知指定取得部は、ユーザによって、端末装置に表示された電気機器の状態に対応する複数の項目が設けられた通知項目指定画面を介して指定された通知項目と、端末装置に表示された通知時間帯指定画面を介して指定された通知時間帯及び当該通知時間帯の通知回数と、を端末装置から通知指定情報として取得する。通知条件設定部は、通知指定情報に基づいて通知条件を設定する。通知情報生成部は、電気機器の状態が通知条件を満たす場合に、電気機器の状態を通知するための通知情報を生成する。通信部は、通知情報生成部が生成した通知情報を端末装置に送信する。
【手続補正２】
【補正対象書類名】特許請求の範囲
【補正対象項目名】全文
【補正方法】変更
【補正の内容】
【特許請求の範囲】
【請求項１】
住宅に設置された電気機器の状態を示す機器状態情報を取得する機器状態取得部と、
現在の日時を取得する日時取得部と、
ユーザによって、端末装置に表示された前記電気機器の状態に対応する複数の項目が設けられた通知項目指定画面を介して指定された通知項目と、前記端末装置に表示された通知時間帯指定画面を介して指定された通知時間帯及び当該通知時間帯の通知回数と、を前記端末装置から通知指定情報として取得する通知指定取得部と、
前記通知指定情報に基づいて通知条件を設定する通知条件設定部と、
前記電気機器の状態が前記通知条件を満たす場合に、前記電気機器の状態を通知するための通知情報を生成する通知情報生成部と、
前記通知情報生成部が生成した前記通知情報を前記端末装置に送信する通信部と、
を備える機器状態通知制御装置。
【請求項２】
前記機器状態情報は、前記電気機器の動作状態と、前記電気機器の消費電力とを含む情報である、
請求項１に記載の機器状態通知制御装置。
【請求項３】
前記日時取得部は、現在の曜日を更に取得し、
前記通知条件設定部は、前記電気機器の状態を前記端末装置に通知する曜日を規制する通知曜日条件を前記通知条件に含めて設定する、
請求項１又は２に記載の機器状態通知制御装置。
【請求項４】
前記通知時間帯指定画面は、アナログ時計を模した時計画像において、三角形のスライダを移動させることにより通知の開始時間および終了時間が指定可能に表示される、
請求項１から３のいずれか１項に記載の機器状態通知制御装置。
【請求項５】
前記通知項目指定画面及び前記通知時間帯指定画面は、ユーザによって、前記端末装置に表示された前記住宅の間取り図に配置された前記電気機器を示すアイコンが選択された後に表示される、
請求項１から４のいずれか１項に記載の機器状態通知制御装置。
【請求項６】
機器状態通知制御装置、電気機器および端末装置を含む機器状態通知システムであって、
前記機器状態通知制御装置は、
住宅に設置された前記電気機器の状態を示す機器状態情報を取得する機器状態取得部と、
現在の日時を取得する日時取得部と、
ユーザによって、前記端末装置に表示された前記電気機器の状態に対応する複数の項目が設けられた通知項目指定画面を介して指定された通知項目と、前記端末装置に表示された通知時間帯指定画面を介して指定された通知時間帯及び当該通知時間帯の通知回数と、を前記端末装置から通知指定情報として取得する通知指定取得部と、
前記通知指定情報に基づいて通知条件を設定する通知条件設定部と、
前記電気機器の状態が前記通知条件を満たす場合に、前記電気機器の状態を通知するための通知情報を生成する通知情報生成部と、
前記通知情報生成部が生成した前記通知情報を前記端末装置に送信する通信部と、
を備える機器状態通知システム。
【請求項７】
住宅に設置された電気機器の状態を示す機器状態情報を取得し、
現在の日時を取得し、
ユーザによって、端末装置に表示された前記電気機器の状態に対応する複数の項目が設けられた通知項目指定画面を介して指定された通知項目と、前記端末装置に表示された通知時間帯指定画面を介して指定された通知時間帯及び当該通知時間帯の通知回数と、を前記端末装置から通知指定情報として取得し、
前記通知指定情報に基づいて通知条件を設定し、
前記電気機器の状態が通知条件を満たす場合に、前記電気機器の状態を通知するための通知情報を生成し、
生成した前記通知情報を前記端末装置に送信する、
機器状態通知方法。
【請求項８】
コンピュータを、
住宅に設置された電気機器の状態を示す機器状態情報を取得する機器状態取得部、
現在の日時を取得する日時取得部、
ユーザによって、端末装置に表示された前記電気機器の状態に対応する複数の項目が設けられた通知項目指定画面を介して指定された通知項目と、前記端末装置に表示された通知時間帯指定画面を介して指定された通知時間帯及び当該通知時間帯の通知回数と、を前記端末装置から通知指定情報として取得する通知指定取得部、
前記通知指定情報に基づいて通知条件を設定する通知条件設定部、
前記電気機器の状態が通知条件を満たす場合に、前記電気機器の状態を通知するための通知情報を生成する通知情報生成部、
として機能させるプログラム。
【国際調査報告】
2020017051.tif 000021
2020017051.tif 000022
2020017051.tif 000023
2020017051.tif 000024